(57)【要約】【課題】  両面側から多数枚の低額紙幣を迅速に出金できる紙幣処理装置及び方法を提供する。【解決手段】  第１の紙幣入金口１ａから挿入された紙幣は、第１の紙幣識別部２ａによって取り込み可能な正常な紙幣か否かと金額の種類を判別される。異常な紙幣の場合には返却される。正常な紙幣の場合には、紙幣は、第１の入金搬送路３ａ、第１の共通搬送路７ａ、第１の切り替え機構４、第２の共通搬送路７ｂ、第２の切り替え機構５、及び第３の共通搬送路７ｃを通過する。このとき、千円札は第３の切り替え機構６によって切り替えられないので、紙幣は千円札用カセット８に収納される。２千円札、５千円札又は１万円札は第３の切り替え機構によって第４の共通搬送路７ｄを搬送されて、紙幣は２千円札・５千円札・１万円札用混合カセット９に収納される。千円札用カセットに収納されている紙幣は、繰り出しローラ１３によって繰り出されて、出金集積部１０に収納され、必要に応じて第１の紙幣出金口１１ａ又は第２の紙幣出金口１１ｂから出金される。【選択図】    図１
2007323232.tif 000002
【特許請求の範囲】
【請求項１】
両面側から入金と出金を行うことができる紙幣処理装置において、
一面側の紙幣入金口又は他面側の紙幣入金口からそれぞれ挿入された紙幣は、共通搬送路と切り替え機構を通過して、低額紙幣収納部と高中額紙幣収納部に区分して収納され、
前記低額紙幣収納部に収納されている低額紙幣は、前記共通搬送路と前記切り替え機構を通過して、出金集積部に収納され、
前記出金集積部に収納されている前記低額紙幣は、前記一面側の紙幣出金口に搬送され、又は、前記切り替え機構が切り替えられ、前記共通搬送路を搬送されて前記他面側の紙幣出金口に出金されることを特徴とする紙幣処理装置。
【請求項２】
前記低額紙幣収納部に収納されている前記低額紙幣は繰り出しローラによって繰り出されることを特徴とする請求項１記載の紙幣処理装置。
【請求項３】
前記一面側の紙幣入金口又は前記他面側の紙幣入金口からそれぞれ挿入された前記紙幣は、前記一面側の紙幣識別部又は前記他面側の紙幣識別部を通過した後に、前記共通搬送路と前記切り替え機構を通過することを特徴とする請求項１記載の紙幣処理装置。
【請求項４】
両面側から入金と出金を行うことができる紙幣処理方法において、
一面側の紙幣入金口又は他面側の紙幣入金口からそれぞれ挿入された紙幣は、共通搬送路と切り替え機構を通過して、低額紙幣収納部と高中額紙幣収納部に区分して収納され、
前記低額紙幣収納部に収納されている低額紙幣は、前記共通搬送路と前記切り替え機構を通過して、出金集積部に収納され、
前記出金集積部に収納されている前記低額紙幣は、前記一面側の紙幣出金口に搬送され、又は、前記切り替え機構が切り替えられ、前記共通搬送路を搬送されて前記他面側の紙幣出金口に出金されることを特徴とする紙幣処理方法。
【請求項５】
前記低額紙幣収納部に収納されている前記低額紙幣は繰り出しローラによって繰り出されることを特徴とする請求項４記載の紙幣処理方法。
【請求項６】
前記一面側の紙幣入金口又は前記他面側の紙幣入金口からそれぞれ挿入された前記紙幣は、前記一面側の紙幣識別部又は前記他面側の紙幣識別部を通過した後に、前記共通搬送路と前記切り替え機構を通過することを特徴とする請求項４記載の紙幣処理方法。
【発明の詳細な説明】
【技術分野】
【０００１】
本発明は、両面側から入金と出金を行うことができる紙幣処理装置及び方法に関し、詳しく述べると、出金集積部を有する紙幣処理装置及び方法に関する。
【背景技術】
【０００２】
ガソリンスタンドや駐車場に設置されて、両面側の各入金口から挿入された紙幣を共通のカセット又は共通の金庫に収納する紙幣処理装置は、本出願前に頒布された刊行物に記載されている(例えば、特許文献１〜４参照。)。
【０００３】
また、この種の紙幣処理装置が、両面側の各入金口の直後に設けられている紙幣識別部と、入金された紙幣が異常紙幣や異物である場合、紙幣を共通のカセット又は共通の金庫へ搬送せずに入金口に返却する手段とを備えることは、特許文献３，４に記載されている。
【０００４】
【特許文献１】特開２００４−３０７０３２号公報
【特許文献２】特開２００４−３１０５４０号公報
【特許文献３】特開平５−１８２０４８号公報
【特許文献４】特開平７−１０５４３１号公報
【発明の開示】
【発明が解決しようとする課題】
【０００５】
前記背景技術の項に記載されている両面側から入金と出金を行うことができる紙幣処理装置を、顧客が、使用すると、所要の釣銭とレシートを受け取ることができる。しかし、これらの紙幣処理装置は、多数枚の低額紙幣（例えば、千円札）を迅速に出金する態勢を十分には整えていない。
【０００６】
そこで、本発明は、前記各紙幣処理装置の欠点を改良し、両面側から多数枚の低額紙幣を迅速に出金することができる紙幣処理装置及び方法を提供しようとするものである。
【課題を解決するための手段】
【０００７】
本発明は、前記課題を解決するため、次の手段を採用する。
【０００８】
１．両面側から入金と出金を行うことができる紙幣処理装置において、一面側の紙幣入金口１ａ又は他面側の紙幣入金口１ｂからそれぞれ挿入された紙幣は、共通搬送路７ａ，７ｂ，７ｃ，７ｄと切り替え機構４，５，６を通過して、低額紙幣収納部８と高中額紙幣収納部９に区分して収納され、前記低額紙幣収納部に収納されている低額紙幣は、前記共通搬送路７ｂ，７ｃ，７ｄと前記切り替え機構を通過して、出金集積部１０に収納され、前記出金集積部に収納されている前記低額紙幣は、前記一面側の紙幣出金口１１ａに搬送され、又は、前記切り替え機構４が切り替えられ、前記共通搬送路７ｂを搬送されて前記他面側の紙幣出金口１１ｂに出金される紙幣処理装置。
【０００９】
２．前記低額紙幣収納部に収納されている前記低額紙幣は繰り出しローラ１３によって繰り出される前記１記載の紙幣処理装置。
【００１０】
３．前記一面側の紙幣入金口又は前記他面側の紙幣入金口からそれぞれ挿入された前記紙幣は、前記一面側の紙幣識別部２ａ又は前記他面側の紙幣識別部２ｂを通過した後に、前記共通搬送路と前記切り替え機構を通過する前記１記載の紙幣処理装置。
【００１１】
４．両面側から入金と出金を行うことができる紙幣処理方法において、一面側の紙幣入金口又は他面側の紙幣入金口からそれぞれ挿入された紙幣は、共通搬送路と切り替え機構を通過して、低額紙幣収納部と高中額紙幣収納部に区分して収納され、前記低額紙幣収納部に収納されている低額紙幣は、前記共通搬送路と前記切り替え機構を通過して、出金集積部に収納され、前記出金集積部に収納されている前記低額紙幣は、前記一面側の紙幣出金口に搬送され、又は、前記切り替え機構が切り替えられ、前記共通搬送路を搬送されて前記他面側の紙幣出金口に出金される紙幣処理方法。
【００１２】
５．前記低額紙幣収納部に収納されている前記低額紙幣は繰り出しローラによって繰り出される前記４記載の紙幣処理方法。
【００１３】
６．前記一面側の紙幣入金口又は前記他面側の紙幣入金口からそれぞれ挿入された前記紙幣は、前記一面側の紙幣識別部又は前記他面側の紙幣識別部を通過した後に、前記共通搬送路と前記切り替え機構を通過する前記４記載の紙幣処理方法。
【発明の効果】
【００１４】
明細書の説明から明らかなように、本発明は、次の効果を奏する。
【００１５】
１．低額紙幣収納部に収納されている低額紙幣は、出金集積部に収納されるので、紙幣処理装置において、両面側から多数枚の少額紙幣を迅速に出金できる態勢を整えることができる。
【００１６】
２．低額紙幣を低額紙幣収納部から繰り出しローラによって簡易に繰り出すことができる。
【００１７】
３．紙幣識別部が、紙幣処理装置の両面側の紙幣入金口の直後に個別に設置されているので、紙幣識別部によって取り込み不可能と判別された紙幣は、以後の搬送路を搬送されずに返却される。したがって、異常紙幣（破損紙幣、偽造紙幣、変造紙幣）や異物を搬送することによるジャムの発生を防止することができる。
【発明を実施するための最良の形態】
【００１８】
本発明の一実施例の紙幣処理装置について説明する。
【実施例１】
【００１９】
本発明の実施例１について図１を参照して説明する。図１は、紙幣処理装置の要部の縦断面図である。
【００２０】
紙幣処理装置の下部には、左側に第１の紙幣入金口１ａと第１の紙幣出金口１１ａが配備され、右側に第２の紙幣入金口１ｂと第２の紙幣出金口１１ｂが配備されている。また、第１の紙幣入金口１ａの背後には、第１の紙幣識別部２ａが配備され、第２の紙幣入金口１ｂの背後には、第２の紙幣識別部２ｂが配備されている。
【００２１】
第１の紙幣識別部２ａと第１の共通搬送路７ａの間は、第１の入金搬送路３ａによって連絡され、第２の紙幣識別部２ｂと第１の共通搬送路７ａの間は、第２の入金搬送路３ｂによって連絡されている。
【００２２】
第１の共通搬送路７ａと第２の共通搬送路７ｂの間には、第１の切り替え機構４が配備され、第２の共通搬送路７ｂと第３の共通搬送路７ｃの間には、第２の切り替え機構５が配備され、第３の共通搬送路７ｃと第４の共通搬送路７ｄの間には、第３の切り替え機構６が配備されている。
【００２３】
第３の共通搬送路７ｃから直行する先方には、入出金可能な千円札用カセット８が配備されている。第４の共通搬送路７ｄの先方には、収納のみを行う２千円札・５千円札・１万円札用混合カセット９が配備されている。第２の共通搬送路７ｂと第１の紙幣出金口１１ａの間には、出金紙幣を一時収納する出金集積部１０が配備されている。
【００２４】
紙幣処理装置の随所には、各紙幣を挟持して搬送するために、一対の搬送ローラ１２ａ，１２ｂが配備されている。
【００２５】
紙幣が紙幣処理装置に挿入されたときの動作について説明する。
【００２６】
第１の紙幣入金口１ａから挿入された紙幣は、第１の紙幣識別部２ａによって取り込み可能な紙幣か否かと金額の種類を判別され、取り込み可能な紙幣の場合には、第１の入金搬送路３ａ、第１の共通搬送路７ａ、第１の切り替え機構４、第２の共通搬送路７ｂ、第２の切り替え機構５を通過し、第３の共通搬送路７ｃに搬送される。
【００２７】
第１の紙幣識別部２ａによって金額の種類を判別した結果、紙幣が千円札である場合、第３の切り替え機構６は切り替えられないので、紙幣は千円札用カセット８に収納される。紙幣が２千円札、５千円札又は１万円札である場合、第３の切り替え機構６は第４の共通搬送路７ｄ側に切り替えられるので、紙幣は第４の共通搬送路７ｄを搬送されて２千円札・５千円札・１万円札用混合カセット９に収納される。
【００２８】
第１の紙幣識別部２ａが、第１の紙幣入金口１ａから挿入された紙幣を取り込み不可能な紙幣と判別した場合には、紙幣を第１の紙幣入金口１ａに返却する。
【００２９】
第２の紙幣入金口１ｂから挿入された紙幣は、第２の紙幣識別部２ｂによって取り込み可能な紙幣か否かと金額の種類を判別され、取り込み可能な紙幣の場合には、第２の入金搬送路３ｂ、第１の共通搬送路７ａ、第１の切り替え機構４、第２の共通搬送路７ｂ、第２の切り替え機構５を通過し、第３の共通搬送路７ｃに搬送される。
【００３０】
第２の紙幣識別部２ｂによって金額の種類を判別した結果、紙幣が千円札である場合、第３の切り替え機構６は切り替えられないので、紙幣は千円札用カセット８に収納される。紙幣が２千円札、５千円札又は１万円札である場合、第３の切り替え機構６は第４の共通搬送路７ｄ側に切り替えられるので、紙幣は第４の共通搬送路７ｄを搬送されて２千円札・５千円札・１万円札用混合カセット９に収納される。
【００３１】
第２の紙幣識別部２ｂが、第２の紙幣入金口１ｂから挿入された紙幣を取り込み不可能な紙幣と判別した場合には、紙幣を第２の紙幣入金口１ｂに返却する。
【００３２】
紙幣を紙幣処理装置から出金する場合には、千円札用カセット８の底部付近に設置されている繰り出しローラ１３によって千円札用カセット８から紙幣を１枚ずつ繰り出す。繰り出された紙幣は、第３の共通搬送路７ｃ、第２の切り替え機構５、第２の共通搬送路７ｂを通過し、一旦出金集積部１０に収納される。
【００３３】
千円札用カセット８に収納されている全部の紙幣は、出金集積部１０に収納される。出金集積部１０に集積されている紙幣を、紙幣処理装置の左側に出金する場合には、第１の紙幣出金口１１ａに搬送し、紙幣処理装置の右側に出金する場合には、第２の切り替え機構５を切り替え、第２の共通搬送路７ｂを搬送し、第２の紙幣出金口１１ｂに出金する。
【００３４】
本実施例１における第１の入金搬送路３ａと第２の入金搬送路３ｂを省略して、第１の紙幣識別部２ａと第２の紙幣識別部２ｂを直接第１の共通搬送路７ａに連絡するように設計変更することができる。
【００３５】
本発明は、セルフガソリンスタンド、駐車場の清算機及び券売機等の両面側から入金が可能な紙幣処理装置に適用可能である。
【図面の簡単な説明】
【００３６】
【図１】本発明の実施例１の紙幣処理装置における要部の縦断面図である。
【符号の説明】
【００３７】
１ａ  第１の紙幣入金口
１ｂ  第２の紙幣入金口
２ａ  第１の紙幣識別部
２ｂ  第２の紙幣識別部
３ａ  第１の入金搬送路
３ｂ  第２の入金搬送路
４  第１の切り替え機構
５  第２の切り替え機構
６  第３の切り替え機構
７ａ  第１の共通搬送路
７ｂ  第２の共通搬送路
７ｃ  第３の共通搬送路
７ｄ  第４の共通搬送路
８  千円札用カセット
９  ２千円札・５千円札・１万円札用混合カセット
１０  出金集積部
１１ａ  第１の紙幣出金口
１１ｂ  第２の紙幣出金口
１２ａ，１２ｂ  搬送ローラ
１３  繰り出しローラ
【図１】
2007323232.tif 000003